(57)【特許請求の範囲】
【請求項１】
装置本体に対し回動支点を中心にして開閉可能であり、且つ上下移動可能である開閉体を設け、装置本体における該開閉体の回動支点近傍にフィーラを立設し、該フィーラの検知手段を開閉体に固設し、該検知手段は、該開閉体が開閉されるときに該フィーラが通過可能な凹部を有する形状であり、該凹部は該開閉体の回動支点軸に対して垂直方向に凹んでおり、装置本体になにも載置せずに該開閉体を閉じた状態において、該フィーラの上端は該検知手段の位置よりも所定寸法だけ上方に位置する、ことを特徴とする開閉体の開閉状態検知機構。
【請求項２】
前記検知手段は、フィーラの側方に配置されることを特徴とする請求項１に記載の開閉体の開閉状態検知機構。
【請求項３】
前記フィーラには、検知手段の回動軌跡に沿って湾曲する湾曲部が形成されることを特徴とする請求項１又は請求項２に記載の開閉体の開閉状態検知機構。
【発明の詳細な説明】
【０００１】
【発明の属する技術分野】
本発明は、装置本体に対し回動支点を中心にして回動可能であり、且つ上下移動可能である開閉体の開閉状態を、確実に検知するための開閉状態検知機構に関する。
【０００２】
【従来の技術】
一般的に、読取面に本等の原稿を静止状に載置して、該静止原稿を読み取る画像読取装置、所謂フラットベッドタイプの画像読取装置においては、該読取部に載置した原稿を読取面に押圧するプラテンカバーが、その一辺を回動支点として開閉可能に設けられている。
このような開閉体であるプラテンカバーは、読取部に対して上下に移動可能に構成されており、本等の厚みがある原稿を読取面に載置した場合には、回動支点部分がリフトアップし、該プラテンカバーが持ち上げられた状態で原稿を押圧するように構成されている。
また、プラテンカバーを支持する装置本体には、該プラテンカバーの開閉状態を検知する透過型センサ等により構成される開閉センサが取り付けられており、プラテンカバーにはフィーラが取り付けられている。
そして、開状態のプラテンカバーを閉じていき、フィーラが開閉センサを通過して光が遮られると、光が遮られるのと同時に原稿サイズ読取用のセンサが作動して、読取面に載置された原稿のサイズを判定するように構成している。
このように、該プラテンカバーには、フィーラ及び開閉センサにより、プラテンカバーの開閉状態を検知して原稿サイズ読取用のセンサを作動させる、開閉状態検知機構としてのブックインデックスセンサが構成されている。
【０００３】
例えば、図７に示すように、画像読取装置の読取部１０１の上方にプラテンカバー１０２が配置され、該プラテンカバー１０２はヒンジ部１０３の回動支点１０３ａを中心に回動可能とされている。ヒンジ部１０３は、例えば読取部１０１に対してプラテンカバー１０２と一体的に上下移動可能に構成されている。
また、プラテンカバー１０２にはフィーラ１０４が固設され、読取部１０１には開閉センサ１０５が取り付けられている。
そして、プラテンカバー１０２が閉じていき、フィーラ１０４が開閉センサ１０５のセンサ部１０５ａに上方から挿入され、これによりプラテンカバー１０２がほとんど閉じた状態にあることを開閉センサ１０５によって検知するように構成している。
【０００４】
【発明が解決しようとする課題】
前述の如く、プラテンカバー１０２の開閉状態の検知は、プラテンカバー１０２に固設されたフィーラ１０４の先端部が、読取部１０１に取り付けられた開閉センサ１０５に上方から嵌入することで行われていたが、本等の厚みのある原稿を読み取る際にはプラテンカバー１０２が上方に持ち上げられ、これに伴いフィーラ１０４も同様に上方移動することとなる。
この場合、フィーラ１０４と開閉センサ１０５とのラップ寸法ｄはさほど大きくないため、原稿が分厚い本であれば勿論のこと、雑誌等の薄い本であっても、フィーラ１０４の先端が開閉センサ１０５のセンサ部１０５ａに届かなくなって、プラテンカバー１０２の開閉状態が検知できず、原稿サイズの判定を自動で行うことができなくなっていた。
従って、厚みのある原稿を読み取る際には、ユーザーが手動で原稿サイズの入力を行う必要があり、煩わしかった。
また、プラテンカバー１０２が上方に持ち上げられた場合にも開閉状態を検知できるように、フィーラ１０４の先端部を延長して、該フィーラ１０４と開閉センサ１０５とのラップ寸法ｄを増加させることが考えられるが、フィーラ１０４の下方に開閉センサ１０５を配置して、該開閉センサ１０５のセンサ部１０５ａ上方からフィーラ１０４を挿入する構成としている関係上、該ラップ寸法ｄをあまり大きくすることができなかった。
【０００５】
【課題を解決するための手段】
本発明は、以上のような課題を解決すべく、次のような手段を用いるものである。即ち、請求項１記載の如く、装置本体に対し回動支点を中心にして開閉可能であり、且つ上下移動可能である開閉体を設け、装置本体における該開閉体の回動支点近傍にフィーラを立設し、該フィーラの検知手段を開閉体に固設し、該検知手段は、該開閉体が開閉されるときに該フィーラが通過可能な凹部を有する形状であり、該凹部は該開閉体の回動支点軸に対して垂直方向に凹んでおり、装置本体になにも載置せずに該開閉体を閉じた状態において、該フィーラの上端は該検知手段の位置よりも所定寸法だけ上方に位置する。
【０００６】
また、請求項２記載の如く、前記検知手段は、フィーラの側方に配置される。
【０００７】
また、請求項３記載の如く、前記フィーラには、検知手段の回動軌跡に沿って湾曲する湾曲部が形成される。
【０００８】
【発明の実施の形態】
本発明の実施の形態を、添付の図面より説明する。図１は本発明の開閉状態検知機構が構成される画像読取装置を備えたファクシミリ装置の斜視図、図２は同じく正面断面図、図３はプラテンカバーの開閉部を示す側面断面図、図４は同じく後面図、図５は同じく平面図、図６はフィーラと開閉センサとの位置関係を示す図、図７は従来のプラテンカバーの開閉部を示す側面図である。
【０００９】
まず、本発明の開閉状態検知機構が構成される画像読取装置を具備するファクシミリ装置の概略構成について、図１、図２により説明する。
ファクシミリ装置Ｆは、記録部１の上方に画像読取装置が構成される画像読取部２を配置して構成され、該画像読取部２は、記録部１に対して回動支点２０を中心に上下回動可能とされている。記録部１には記録装置３及び給紙カセット４がそれぞれ上下に内装されており、給紙カセット４内に堆積される用紙を記録装置３へ給紙して記録した後に、記録紙排出トレイ５から排出するように構成している。
【００１０】
一方、画像読取部２においては、上面を透明状の静止原稿載置面１４とした読取ケース１３内に読取装置６を収納しており、該静止原稿載置面１４上に載置された原稿を該読取装置６により走査して、読み取りを行うようにしている
また、読取ケース１３の上方には、その一辺を中心として開閉可能に構成されるプラテンカバー７が配置され、該プラテンカバー７により静止原稿載置面１４上に載置された原稿を上方から押えるものとしている。
【００１１】
プラテンカバー７の一端部には原稿を自動的に給紙する自動給紙装置（ＡＤＦ装置）８が付設され、該自動給紙装置８は給紙装置１１と搬送装置１２とにより構成されている。
そして、原稿供給トレイ９に載置した原稿を、自動給紙装置８の給紙装置１１により一枚ずつピックアップして、搬送装置１２により静止原稿載置面１４の一端部へ搬送し、その内容を読取装置６により読み取った後に、プラテンカバー７の上面に形成される原稿排出トレイ１０へ排出するように構成している。
【００１２】
即ち、画像読取部２は、読取装置６を走査させて静止原稿を読み取るフラットベッドタイプのスキャナとして用いるとともに、読取装置６を位置固定して原稿を給送しながら読み取りを行うシートフィードタイプのスキャナとして用いることができるように構成されている。
【００１３】
また、読取ケース１３の一側方にはキーパネル１５が付設され、該キーパネル１５の各種操作キーを操作することにより、原稿内容の読み取りを行ったり、読み取った内容をファクシミリ送信する際の送信先の設定を行ったり、受信内容や読み取った内容の記録装置３による記録を行ったりするようにしている。
【００１４】
次に、読取ケース１３の上方に開閉可能に載置される開閉体である、前記プラテンカバー７の開閉状態を検知するための検知機構について説明する。
尚、ファクシミリ装置Ｆにおける、キーパネル１５が配置される側を前部と、自動給紙装置８が配置される側を左部として便宜的に定義する。
【００１５】
図３乃至図５に示すように、読取ケース１３に載置されるプラテンカバー７は、該読取ケース１３後端部の左右両側部にてヒンジ機構２０・２０を介して開閉可能に支持されている。
ヒンジ機構２０は、読取ケース１３に取付固定される支持プレート２１、プラテンカバー７に固設される固定プレート２２、及び支持プレート２１と固定プレート２２とを連結する回動プレート２４等により構成されている。
支持プレート２１と回動プレート２４とは回動支点２３にて回動可能に連結され、固定プレート２２と回動プレート２４とはリフト支点２５にて回動可能に連結されている。
【００１６】
そして、通常プラテンカバー７が開閉される場合には、回動プレート２４が回動支点２３を中心にして、プラテンカバー７に固設される固定プレート２２と一体的に回動する。
また、静止原稿載置面１４に本等の厚みのある原稿を載置してプラテンカバー７を閉じた場合には、回動プレート２４がリフト支点２５を中心として、固定プレート２２に対し回動することによりプラテンカバー７がリフトアップされ、該プラテンカバー７を略水平に保持したままの状態で閉じて、原稿を押圧することが可能となっている。
【００１７】
読取ケース１３の後端部、即ち側面視における回動支点２３の近傍には、薄板状部材のフィーラ３１が立設され、プラテンカバー７内の後端部にはセンサブラケット３２を介して開閉センサ３３が固設されており、該開閉センサ３３は、フィーラ３１の後方に配置されている。
プラテンカバー７における開閉センサ３３の略下方部分には通孔１７が開口しており、プラテンカバー７を閉じると、該通孔１７を通じてフィーラ３１が該プラテンカバー７内に侵入するように構成されている。
【００１８】
透過型センサに構成される開閉センサ３３の検知部３３ａは略凹型に形成され、プラテンカバー７が閉じると、該プラテンカバー７内に侵入するフィーラ３１の後端面３１ａが該検知部３３ａを通過する。
即ち、プラテンカバー７を閉じていき、フィーラ３１が開閉センサ３３の検知部３３ａを通過した状態になると、該検知部３３ａを透過する光がフィーラ３１により遮られ、これにより該プラテンカバー７がほとんど閉じた状態になったことを検知するようにしている。
ここで、「プラテンカバー７がほとんど閉じた状態」とは、読取部２の静止原稿載置面１４に載置した原稿のサイズを読み取る際に、外光の影響を受けない程度までプラテンカバー７が閉じられた状態のことをいう。
一方、プラテンカバー７が回動支点２３を中心に上方回動して開いた状態にあるときは、開閉センサ３３がプラテンカバー７と一体的に上方回動し、該開閉センサ３３の検知部３３ａがフィーラ３１の上方に移動するため、検知部３３ａを透過する光がフィーラ３１により遮られることがなくなって、プラテンカバー７が開いている旨が検知される。
【００１９】
図６に示すように、プラテンカバー７がほとんど閉じた状態にある場合、開閉センサ３３はフィーラ３１の後側方に配置され、該フィーラ３１の後端面３１ａが開閉センサ３３の検知部３３ａを通過している。
該後端面３１ａは検知部３３ａから寸法ｈだけ上方へ延出しており、開閉センサ３３の上方回動角度が角度θとなるまでの範囲においては、フィーラ３１が検知部３３ａを通過するように構成されている。
【００２０】
即ち、プラテンカバー７を閉じた状態から角度θだけ開いた状態までの範囲においては、開閉センサ３３によりプラテンカバー７の閉状態が検知され、該プラテンカバー７が角度θよりも大きく開いた状態になると、開閉センサ３３によりプラテンカバー７の開状態が検知されるのである。
そして、開いた状態にあるプラテンカバー７を閉じていき、フィーラ３１により開閉センサ３３の検知部３３ａを透過する光が遮られて、プラテンカバー７がほとんど閉じた状態になったことが検知されると、光が遮られたのと同時に、ファクシミリ装置Ｆに設けられる原稿サイズ読取用のセンサ（図示せず）が作動して、静止原稿載置面１４に載置された原稿のサイズが判定されるように構成している。
【００２１】
このように、装置本体としての読取ケース１３に対し回動支点２３を中心にして開閉可能であり、且つ該回動支点２３が上下移動可能であるプラテンカバー７に、開閉センサ３３を固設し、読取ケース１３における回動支点２３の近傍にフィーラ３１を立設して、該開閉センサ３３によるフィーラ３１の検知によりプラテンカバー７の開閉状態を検知する、ブックインデックスセンサを構成している。
【００２２】
また、プラテンカバー７の開閉に伴う開閉センサ３３の回動軌跡は、回動支点２３を中心とする円弧形状となるが、フィーラ３１の後端面３１ａにおける、閉状態で開閉センサ３３の検知部３３ａが位置する部分から、角度θだけ開いた状態で該検知部３３ａが位置する上端部までの範囲Ｒは、開閉センサ３３の回動軌跡に合わせた略円弧形状に湾曲して形成されている。
このように、フィーラ３１の後端面３１ａを略円弧形状に湾曲して形成することで、開閉センサ３３の検知部３３ａを通過する後端面３１ａが、該検知部３３ａと衝突することを防止している。
【００２３】
ここで、本等の厚みのある原稿を静止原稿載置面１４に載置した場合、前述の如くプラテンカバー７が上方へ持ち上げられるが、これに伴い、プラテンカバー７へ一体的に固設される開閉センサ３３も上方へ移動する。
また、厚みのある原稿を載置せずにプラテンカバー７を閉じた状態では、フィーラ３１の後端面３１ａの上端は、開閉センサ３３の検知部３３ａから寸法ｈだけ上方に位置しているので、プラテンカバー７が寸法ｈだけ上方へ持ち上げられた状態となるまでは、開閉センサ３３によりプラテンカバー７の閉状態が検知されることとなる。
【００２４】
従って、前記寸法ｈを、本等の厚みのある原稿を静止原稿載置面１４に載置した際にプラテンカバー７が持ち上げられる寸法に適宜設定することで、厚みのある原稿を読み取る場合でも、プラテンカバー７の開閉状態を検知して、原稿サイズの判別を行うことが可能となる。
特に、本例の場合は、開閉センサ３３をフィーラ３１の後側方に配置しているので、該フィーラ３１を上方へ延出する際に、開閉センサ３３による制約を受けることがなく、寸法ｈを比較的大きくとることができ、原稿サイズの判別が可能な原稿の厚み範囲を広くすることが可能となる。
【００２５】
【発明の効果】
本発明は以上の如く構成したので、次のような効果を奏する。
まず、請求項１の如く、装置本体に対し回動支点を中心にして開閉可能であり、且つ上下移動可能である開閉体を設け、装置本体における該開閉体の回動支点近傍にフィーラを立設し、該フィーラの検知手段を開閉体に固設し、該検知手段は、該開閉体が開閉されるときに該フィーラが通過可能な凹部を有する形状であり、該凹部は該開閉体の回動支点軸に対して垂直方向に凹んでおり、装置本体になにも載置せずに該開閉体を閉じた状態において、該フィーラの上端は該検知手段の位置よりも所定寸法だけ上方に位置するので、開閉体の回動支点が上方移動した場合でも、フィーラを検知手段に検知させることが可能となる。
例えば、装置本体としての画像読取装置等の読取部にフィーラを立設し、開閉体としてのプラテンカバーに検知手段を固設して、該フィーラと検知手段により開閉状態検知機構を構成した場合、本や雑誌等の厚みのある原稿を読取部とプラテンカバーとの間に載置して読み取りを行う際にも、該プラテンカバーの開閉状態を検知することが可能となり、原稿サイズを自動で判別することができ、読取作業を容易にすることができる。
【００２６】
更に、請求項２の如く、前記検知手段は、フィーラの側方に配置されるので、開閉体が上昇した場合の検知手段によるフィーラの検知範囲を広くするために、フィーラを上方へ延出する際、フィーラの上方への延出量が検知手段による制約を受けることがないので、検知手段によるフィーラの検知範囲を広く確保することが可能となる。
【００２７】
更に、請求項３の如く、前記フィーラには、検知手段の回動軌跡に沿って湾曲する湾曲部が形成されるので、検知手段を通過するフィーラが、開閉体の開閉によって、該検知手段と衝突することを防止することができる。
【図面の簡単な説明】
【図１】本発明の開閉状態検知機構が構成される画像読取装置を備えたファクシミリ装置の斜視図である。
【図２】同じく正面断面図である。
【図３】プラテンカバーの開閉部を示す側面断面図である。
【図４】同じく後面図である。
【図５】同じく平面図である。
【図６】フィーラと開閉センサとの位置関係を示す図である。
【図７】従来のプラテンカバーの開閉部を示す側面図である。
【符号の説明】
Ｆ  ファクシミリ装置
２  画像読取装置
７  プラテンカバー
１３  読取ケース
１４  静止原稿載置面
２０  ヒンジ機構
２３  回動支点
３１  フィーラ
３３  開閉センサ
【図１】
0004337238.tif 000002
【図２】
0004337238.tif 000003
【図３】
0004337238.tif 000004
【図４】
0004337238.tif 000005
【図５】
0004337238.tif 000006
【図６】
0004337238.tif 000007
【図７】
0004337238.tif 000008